(57)【要約】  【課題】分岐した２本のイヤホンコードを纏めることができるとともに、収納時にもつれたり、鞄又はその中身等に引っ掛けたりすることがないように携帯機器に容易に固定することができるイヤホンを提供すること。  【解決手段】中途で２本に分岐し、その端部にイヤホン１０を備えたイヤホンコード１１を有し、携帯機器５０と共に使用されるイヤホン１０であって、  分岐した２本のイヤホンコード１１ａにスライド可能に挿通されてなり、少なくとも一部に携帯機器５０、その収納容器又はイヤホンコードに着脱自在となる取着部２１を有してなるスライド部材２０を備えたイヤホンとした。【選択図】図４
2009212918.tif 000002
【特許請求の範囲】
【請求項１】
端部にイヤホンを備えたイヤホンコードを有し、携帯機器と共に使用されるイヤホンであって、
イヤホンコードにスライド可能に挿通されてなり、少なくとも一部に携帯機器、その収納容器又はイヤホンコードに着脱自在な取着部を有してなるスライド部材を備えたことを特徴とするイヤホン。
【請求項２】
中途で２本に分岐し、その端部にイヤホンを備えたイヤホンコードを有し、携帯機器と共に使用されるイヤホンであって、
分岐した２本のイヤホンコードにスライド可能に挿通されてなり、少なくとも一部に携帯機器、その収納容器又はイヤホンコードに着脱自在となる取着部を有してなるスライド部材を備えたことを特徴とするイヤホン。
【請求項３】
前記取着部は、携帯機器に取着可能な吸盤からなることを特徴とする請求項１又は２記載のイヤホン。
【請求項４】
前記取着部は、クリップ、フック等のイヤホンコードを挟持して取着可能に形成されていることを特徴とする請求項１又は２記載のイヤホン。
【請求項５】
前記取着部は、互いを固定可能な雄部材と雌部材の一方が取り付けられてなることを特徴とする請求項１又は２記載のイヤホン。
【請求項６】
前記雄部材と雌部材は、面ファスナーであることを特徴とする請求項５記載のイヤホン。
【請求項７】
前記雄部材と雌部材は、ホックであることを特徴とする請求項５記載のイヤホン。
【請求項８】
前記取着部は、磁石が取り付けられてなることを特徴とする請求項１又は２記載のイヤホン。
【請求項９】
携帯機器使用時に前記スライド部材の一部にイヤホンコードを取り付け可能なコード取り付け部を備えていることを特徴とする請求項１から８のいずれかに記載のイヤホン。
【発明の詳細な説明】
【技術分野】
【０００１】
本発明は、イヤホン付き携帯ラジオ、ＣＤ／ＭＤプレーヤー、ＨＤＤ内蔵型音楽再生プレーヤー等の携帯型音楽再生機器、イヤホンを用いて音声を聴くのに使用される携帯電話又はゲーム機器等の携帯機器（本明細書及び請求の範囲では「携帯機器」という。）に使用されるイヤホンに関する。
【背景技術】
【０００２】
携帯機器を持ち歩いてイヤホンで音声を聴くことは従来から頻繁になされている。こうした携帯機器に使用されるイヤホンは、コードが細くて長いため、イヤホンコードが収納時にストラップやその他のものに巻き付いたり、からみついたりして、取扱が面倒なものであった。特に２本に分岐している部分のイヤホンコードはさらに細く、もつれやすいという問題があった。
【０００３】
こうした点を考慮したものとして、特許文献１記載の発明が提案されている。この特許文献１記載の発明は、ポータブル機器に付属するイヤホンコードにおいて、ポータブル機器に接続し、ポータブル機器からのオーディオ信号及びコントロール信号を伝送するコネクタを、オーディオ信号の音量とコントロール信号を操作するリモコンと、ポータブル機器から出力されるオーディオ信号を音声として再生するイヤホンと、コネクタとリモコンを接続する第１のコードと、リモコンとイヤホンを接続する第２のコードと、リモコンにイヤホンを固定する固定手段も設けたものである。
【０００４】
係る発明によれば、リモコンにイヤホンを固定する固定手段を設けることによって、鞄等への収納時にコードをもつれにくくするという一定の効果を有する点で、有効な技術であるといえる。
【０００５】
しかしながら、係る発明は、結局リモコンより先にコードは自由になっているため、鞄、衣類のポケット等から携帯機器を取り出す場合に、イヤホンコードが鞄内やポケット内の他の物に巻き付いたり、からみついたりすることがある。最悪の場合には、イヤホンコードを引っ掛けて切断させてしまうおそれがあった。
【０００６】
【特許文献１】特開２００５−８６４１７号公報（図１，図２）
【発明の開示】
【発明が解決しようとする課題】
【０００７】
本発明は、以上のような問題点に鑑みて案出されたものであり、収納時にもつれたり、鞄又はその中身等に引っ掛けたりすることを防止できるように、イヤホンコードを携帯機器に容易に固定することができるイヤホンを提供することにある。
【課題を解決するための手段】
【０００８】
以上のような課題を解決するために、本発明が採った手段は以下の通りである。
【０００９】
請求項１に係る発明が採った手段は、端部にイヤホンを備えたイヤホンコードを有し、携帯機器と共に使用されるイヤホンであって、イヤホンコードにスライド可能に挿通されてなり、少なくとも一部に携帯機器、その収納容器又はイヤホンコードに着脱自在な取着部を有してなるスライド部材を備えたことを特徴とするものである。
【００１０】
請求項２に係る発明が採った手段は、中途で２本に分岐し、その端部にイヤホンを備えたイヤホンコードを有し、携帯機器と共に使用されるイヤホンであって、
分岐した２本のイヤホンコードにスライド可能に挿通されてなり、少なくとも一部に携帯機器、その収納容器又はイヤホンコードに着脱自在となる取着部を有してなるスライド部材を備えたことを特徴とするものである。
【００１１】
請求項３に係る発明が採った手段は、前記取着部は、携帯機器に取着可能な吸盤からなることを特徴とするものである。
【００１２】
請求項４に係る発明が採った手段は、前記取着部は、クリップ、フック等のイヤホンコードを挟持して取着可能に形成されていることを特徴とするものである。
【００１３】
請求項５に係る発明が採った手段は、前記取着部は、互いを固定可能な雄部材と雌部材の一方が取り付けられてなることを特徴とするものである。
【００１４】
請求項６に係る発明が採った手段は、前記雄部材と雌部材は、面ファスナーであることを特徴とするものである。
【００１５】
請求項７に係る発明が採った手段は、前記雄部材と雌部材は、ホックであることを特徴とするものである。
【００１６】
請求項８に係る発明が採った手段は、前記取着部は、磁石が取り付けられてなることを特徴とするものである。
【００１７】
請求項９に係る発明が採った手段は、携帯機器使用時に前記スライド部材の一部にイヤホンコードを取り付け可能なコード取り付け部を備えていることを特徴とするものである。
【発明の効果】
【００１８】
上記手段を採ったことにより得られる効果は以下の通りである。
【００１９】
本発明のイヤホンコードは、イヤホンコードにスライド部材を設けることにより、使用時はスライド部材を邪魔にならない位置に配置し、使用後はスライド部をイヤホン部近傍にスライドさせることができる。そして、スライド部に、携帯機器と着脱自在な取着部を設けてあるので、イヤホンを携帯機器に巻いた後、取着部を携帯機器に取着固定することによって、巻回状態を保持することができるという効果を有する。スライド部がイヤホン部近傍にまでスライドされているので、イヤホンコードのほぼ全部を巻回状態で保持できる
【００２０】
２本に分岐したイヤホンコードにスライド部を設けることにより、これをスライドさせて、２本のイヤホンコードをスライド部に纏めることができるという効果を有する。従って、イヤホンを携帯機器に巻回した際に、２本のイヤホンコードがばらばらにならずにコンパクトに収納することができる。
【００２１】
さらに、取着部としてクリップ等を採用すれば、衣服のポケットや襟首等にもスライド部材を取り付けることができるという効果を有する。従って、簡単にイヤホンコードを衣服に沿わせることができる。
【００２２】
さらに、取着部として、雄部材と雌部材とで互いが固定可能な部材の一方を取り付けるという構成を採用すれば、携帯機器以外の取着したい部位、例えば衣服等に、スライド部に設けられた取着部材と雄雌反対の取着部材を取り付けておけば、イヤホンコードが届く限り、どこにでも取り付けることができるようになる。
【発明を実施するための最良の形態】
【００２３】
本発明の「イヤホン」を実施するための最良の形態について説明する。
【００２４】
本発明に係るイヤホンは、イヤホンコードと、そのイヤホンコードに取り付けられたスライド部材とを有する。イヤホンコードは、１本のイヤホンコードに１つのイヤホンを有するもの又は１本のイヤホンコードを途中で分岐させて、その先端に２つのイヤホンを有するタイプのものの両方を使用することができる。その他の構成については特に限定するものではない。
【００２５】
イヤホンコードには、該イヤホンコード上をスライド自在となるように形成されたスライド部材が設けられている。２本のイヤホンコードを有するタイプの場合は、２本に分岐しているイヤホンコードにスライド部材が設けてある。スライド自在にする構成としては、２本のイヤホンコードを内側に挿通することができるように挿通孔を設けて、その孔にイヤホンコードを通して構成する。この挿通孔として、２本とも挿入できる大きな孔を設けてもよいし、平行に個別の２個の挿入孔を設けてもよい。スライド部材の輪郭形状は特に限定するものではなく、円柱状、球形、矩形等様々な形状を選択することができる。
【００２６】
さらに、このスライド部材には、携帯機器又はイヤホンコードに着脱可能に形成された取着部を任意の面に設けてある。この取着部は、着脱可能であれば、特にその機能や形態を限定するものではないが、携帯機器に着脱可能に取り付けられる取着部の例として、図３に示されるように、吸盤等が、コードに取り付けられる取着部の例として、図５、６に示されるように、クリップやフック等がある。また、この取着部は、必ずしもスライド部材に設けられた取着部自体の機能のみで携帯機器やイヤホンコードに着脱可能である必要はなく、例えば、互いに着脱可能な雄雌ホックの雄ホックを携帯機器に、雌ホックをスライド部材に取り付けて、着脱可能にしてもよい。また、携帯機器に磁着する磁石を取着部のみに設けたり、又は取着部及び携帯機器の両方に磁石を設けても着脱自在にしてもかまわない。また、この取着部は、必ずしも、携帯機器やイヤホンコードにのみ着脱可能である必要はなく、例えば、クリップやフックなどのように、衣服のポケットの縁や襟首等に取り付けられるようにしてもかまわない。このような形態を採用すれば、携帯機器使用時にイヤホンコードを衣服や襟首に固定することができ、イヤホンコードがぶらぶらすることがなくなり、便利である。
【００２７】
スライド部材の一部には、さらに、携帯機器使用時に側方にイヤホンコードを取り付け可能なイヤホンコード取り付け部（図８、９、１０参照）を有していてもよい。このイヤホンコード取り付け部を設けることによって、以下のような効果を有する。通常携帯機器に使用されるイヤホンコードは、使用する人の身長に関わらず、又は携帯機器を持ち歩くときに手提げ鞄等に収納しても使用することができるように、比較的長めに作製されている。そこで、通常、イヤホンコードは、耳と携帯機器との間に大きく垂れ下がることになる。そこで、イヤホンコード取り付け部にイヤホンコードを取り付けておくことによって、イヤホンコードを垂れる具合を調整することができ、使用勝手のよいものとなる。
【００２８】
以下、本発明に係るイヤホンの実施例について、図に沿って説明する。尚、以下に説明する実施例及び図面は、本発明の実施例の最適な形態を例示するものであり、これらの構成に限定する目的に使用されるものではない。また、同様の物品には、同じ符号を用いる。
【実施例１】
【００２９】
本発明に係るイヤホンの実施例１は、図１〜３に図示されている。図１、図２は実施例１に係るイヤホンの斜視図である。図３は、実施例１に係るイヤホンの使用状態を表す図である。
【００３０】
実施例１に係るイヤホン１００は、イヤホン本体１０とそのイヤホン本体１０と接続しているイヤホンコード１１と、該イヤホンコード１１に取り付けられたスライド部２０とを備えている。
【００３１】
スライド部２０は、略直方体に形成してあり、その内側に挿通穴が設けられていて、先ほどのイヤホンコード１１が挿通され、イヤホンコード１１上をスライドすることができる。スライド部２０は、イヤホンコード全体を自由にスライドすることができる。さらに、スライド部２０の１平面の任意の場所に吸盤２１を設けてある。
【００３２】
以上のように構成されたイヤホン１００は、以下のようにして使用される。音楽等を聴くときには、両耳にイヤホンを嵌めることができるように、図１に示す状態、もしくはさらにスライド部材を携帯機器５０側に移動した状態で使用する。そして、使用後に携帯機器５０を鞄等に収納しようとする場合には、図２に示すように、スライド部材２０をイヤホン本体１０側にスライド移動する。さらに、図３に示すように、携帯機器５０の周囲にイヤホンコード１１を巻回し、最後に吸盤２１を携帯機器５０に吸着させて固定する。こうして、イヤホンコード１１を携帯機器に巻回した状態で保持させることができる。よって、鞄等に収納しやすくすることができ、コードを他の物に引っ掛ける心配がなくなる。そして、使用する場合は、吸盤２１を携帯機器５０から外してイヤホンコード１１の巻回をほどき、スライド部２０をイヤホンコード１１の分岐までスライドさせた状態にして使用する。
【実施例２】
【００３３】
本発明に係るイヤホンの実施例２について、図４〜８に図示されている。図４、図５は実施例２に係るイヤホンの斜視図である。図６は、スライド部材の部分拡大斜視図、図７は、実施例２に係るイヤホンの使用状態を表す図である。
【００３４】
実施例２に係るイヤホン１００は、イヤホン本体１０とそのイヤホン本体１０と接続しているイヤホンコード１１と、該イヤホンコード１１に取り付けられたスライド部２０とを備えている。イヤホンコード１１は、中途で分岐して２本のイヤホンコード１１ａを形成し、２本のイヤホン本体１０を取り付けることができる。
【００３５】
スライド部２０は、この２本に分岐したイヤホンコード１１ａに取り付けられる。スライド部２０は略直方体に形成してあり、その内側に２個の挿通穴が設けられていて、先ほどの２本のイヤホンコード１１ａが挿通されている。スライド部２０は、イヤホンコードの分岐部Ａからイヤホン本体１０までの間を自由にスライドすることができる。従って、スライド部２０をイヤホンコード１１ａの分岐部Ａまでスライド移動した場合には、図４のように、イヤホン本体１０をばらばらにさせることができる。一方で、スライド部２０をイヤホン本体１０側にスライドすると図５のように、イヤホン本体１０はスライド部２０に規制されて、ばらばらにすることができなくなる。
【００３６】
さらに、図６に示すように、スライド部２０の１平面の任意の場所に吸盤２１を設けてある。
【００３７】
以上のように構成されたイヤホン１００は、以下のようにして使用する。音楽等を聴くときには、両耳にイヤホンを嵌めることができるように、図４に示す状態、すなわち、スライド部材２０が分岐Ａ側にある状態で使用する。そして、使用後に携帯機器５０を鞄等に収納しようとする場合には、図５に示すように、スライド部材２０をイヤホン本体１０側にスライド移動してイヤホンコード１１ａ及びイヤホン本体１０をまとめた状態とする。さらに、図７に示すように、携帯機器５０の周囲にイヤホンコード１１を巻回し、最後に吸盤２１を携帯機器５０に吸着させて固定する。こうして、イヤホン本体１０がばらばらになることなく、イヤホンコード１１を携帯機器５０に巻回した状態で保持させることができる。従って。鞄等に収納しやすくすることができ、イヤホンコードを他の物に引っ掛ける心配がなくなる。再度使用する場合には、吸盤を携帯機器５０から外してイヤホンコード１１の巻回をほどき、スライド部２０をイヤホンコード１１の分岐までスライドさせた状態にして使用する。
【実施例３】
【００３８】
次に、本発明に係るイヤホン１００の実施例３について、図８、９に図示されている。図８、９は、実施例３に係るイヤホンのスライド部２０の部分拡大斜視図である。実施例３に係るイヤホン１００は、取着部として、イヤホンコード１１を挟持することができるクリップ２２ａやフック２２ｂ等で形成してある。このクリップ２２ａ又はフック２２ｂは、衣服やポケットの縁をも挟持可能に設けてある。さらに、実施例３のクリップ２２ａ又はフック２２ｂは、スライド部材２０に対して図８、９の矢印に示した方向に回動可能に設けてもよい。
【００３９】
さらに、スライド部材２０には、コード取り付け部４０を設けてある。このコード取り付け部４
０は、２本の板で挟むタイプの挟持部材からできていて、イヤホンコード１１を挟持部に押し込むことによって固定可能にしてある。
【００４０】
取着部にクリップ２２ａ又はフック２２ｂを採用することによって、携帯機器の使用を終了したとき、イヤホンコード１１を携帯機器に巻回し、クリップ２２ａ又はフック２２ｂをスライド部材２０に対して矢印の方向に９０度回転させた後、図１０に示すように、クリップ２２ａ又はフック２２ｂにイヤホンコード１１を挟み込んで固定することによって、同様にイヤホンコード１１を携帯機器５０に巻回した状態で固定することができる。
【００４１】
一方、コード取り付け部４０は、挟持部で形成されているので、衣服やポケットの縁に取り付けることが可能となる。よって、クリップ２２ａ又はフック２２ｂの構成を相まって以下のような使用をすることが可能になる。すなわち、使用時には、図１１に示すように、衣服やポケットの縁に取り付けることによって、イヤホンコード１１を身体に沿わせて使用することができる。さらに、イヤホンコード１１の長さが余っている場合に、イヤホンコード１１がだらりと垂れて、煩わしいので、図１１に示すようにイヤホンコードをコード取り付け部４０に嵌め込むことによって、垂れるイヤホンコード１１の長さを調整することができる。よって、目の前でコードがだらりと垂れるといった煩わしさを解消することができる。
【００４２】
また、短い時間人と会話するといったように一時的に使用を中断したい場合には、図１２に示したようにイヤホンコード１１を引っ張ってイヤホン本体１０をスライド部材２０に移動することによって、イヤホン本体１０が襟元やポケットの近くにまとまり、従来のようにイヤホン本体１０がだらりと垂れることがなくなる。
【実施例４】
【００４３】
次に、本発明に係るイヤホンの実施例４について図１３に図示されている。図１３は、実施例４に係るイヤホン１００を携帯機器に巻き付けた状態を示す図である。これは、取着部として、実施例１や実施例２と異なり、非取着部側（実施例４においては、携帯機器）に設けられた取着部と携帯機器に設けられた取着部とが相まって、固定可能としたものである。実施例４では、雄雌の面ファスナー２３を設けてある。すなわち、スライド部２０には、雌の面ファスナー２３を設けてあり、一方、携帯機器には、スライド部２０に設けた雌のファスナーとは反対の雄の面ファスナーが設けてある。勿論これは、逆であってもかまわない。
【００４４】
そして、実施例１と同様に、使用後は携帯機器にイヤホンコードを巻回した後、雄、雌の面ファスナーを互いに固定して巻回状態を保持させる。
【実施例５】
【００４５】
次に、本発明に係るイヤホンの実施例５について図１４に図示されている。図１４は、実施例５のイヤホンコード１１を表す斜視図である。これは、取着部として、雄雌のホック２４を用いている。本実施例５では、携帯機器を収納する収納容器６０に予め雌のホックを設けたものを使用する。一方、スライド部２０には、雄のホック２４を設けてある。以上のように構成したイヤホン１００によれば、使用後に収納容器６０の外側からイヤホンコード１１を巻回し、雌ホック２４と雄ホック２４を互いに取着して、イヤホンコード１１を固定することができる。
【産業上の利用可能性】
【００４６】
本発明に係るイヤホンは、携帯機器に使用するイヤホンとして利用可能性がある。
【図面の簡単な説明】
【００４７】
【図１】実施例１に係るイヤホンの斜視図である。
【図２】実施例１に係るイヤホンの斜視図である。
【図３】実施例１に係るイヤホンの使用状態を示す図である。
【図４】実施例２に係るイヤホンの斜視図である。
【図５】実施例２に係るイヤホンの斜視図である。
【図６】実施例２に係るイヤホンのスライド部の一部拡大斜視図である。
【図７】実施例２に係るイヤホンの使用状態を示す図である。
【図８】実施例３に係るイヤホンのスライド部の一部拡大斜視図である。
【図９】実施例３に係るイヤホンのスライド部の別実施例を示す一部拡大斜視図である。
【図１０】実施例３に係るイヤホンの使用状態を示す図である。
【図１１】実施例３に係るイヤホンの使用状態を示す図である。
【図１２】実施例３に係るイヤホンの使用状態を示す図である。
【図１３】実施例４に係るイヤホンの使用状態を示す図である。
【図１４】実施例５に係るイヤホンの使用状態を示す図である。
【符号の説明】
【００４８】
１００  イヤホン
１０    イヤホン本体
２０    スライド部材
２１〜２４  取着部
【図１】
2009212918.tif 000003
【図２】
2009212918.tif 000004
【図３】
2009212918.tif 000005
【図４】
2009212918.tif 000006
【図５】
2009212918.tif 000007
【図６】
2009212918.tif 000008
【図７】
2009212918.tif 000009
【図８】
2009212918.tif 000010
【図９】
2009212918.tif 000011
【図１０】
2009212918.tif 000012
【図１１】
2009212918.tif 000013
【図１２】
2009212918.tif 000014
【図１３】
2009212918.tif 000015
【図１４】
2009212918.tif 000016